(57)【要約】      （修正有） 【課題】弾倉に装填した弾丸を撃ち尽くすと、弾倉がガン本体から自動的に外れる弾倉の自動脱着構造を提供する。【解決手段】少なくとも１以上のガン本体に挿着する弾倉本体１と、可動な状態で弾倉本体１上に設ける少なくとも１以上の触発手段２と、可動な状態で弾倉本体１上に設け、かつ触発手段２の一方の側に位置し、触発手段２に合わせて作動する少なくとも１以上連動手段３と、可動な状態で弾倉本体１上に設け、該ガン本体と併用して弾倉本体１を固定するとともに、連動手段３の一方位の側に位置して連動手段３に合わせて作動して弾倉本体１を自動的にガン本体から脱着させる開閉手段４と、を含んでなる。【選択図】図１
0003212719.tif 000002
【実用新案登録請求の範囲】
【請求項１】
少なくとも１以上のガン本体に挿着する弾倉本体と、
可動な状態で該弾倉本体１上に設ける少なくとも１以上の触発手段と、
可動な状態で該弾倉本体１上に設け、かつ該触発手段の一方の側に位置し、該触発手段に合わせて作動する少なくとも１以上の連動手段と、
可動な状態で該弾倉本体上に設け、該ガン本体と併用して該弾倉本体を固定するとともに、該連動手段の一方位の側に位置して該連動手段に合わせて作動して該弾倉本体を自動的にガン本体から脱着させる開閉手段と、を含むことを特徴とする弾倉の自動脱着構造。
【請求項２】
前記開閉手段が、可動な状態で該弾倉本体上に設ける少なくとも１以上の係合手段と、該係合手段の一方の側に連結して動力を発生させる少なくとも１以上の弾性部材とを含み、かつ該弾性部材の一端が該連動手段に抵触して該連動手段を連動させ、
該係合手段の一方の側には、少なくとも１以上の係止部を形成し、該連動手段の一端には該係止部に対応して形成され、かつ選択的に該係止部に係合する係合部を具え、
該弾倉本体内には、可動な状態で少なくとも１以上の切換手段を設け、該切換手段が該係合手段の一方の側に設けられて選択的に該係合手段を固定し、該ガン本体が少なくとも１以上の弾倉脱着手段を具えるとともに、該係合手段の一方の側に該弾倉脱着手段に対応する少なくとも１以上の位置決め部を形成し、該弾倉脱着手段と該位置決め部とによって該弾倉本体を固定することを特徴とする請求項１に記載の弾倉の自動着脱構造。
【請求項３】
前記弾倉本体が、複数の弾丸を収納する弾丸収納レールを少なくとも１以上内設してなり、かつ該触発手段が該弾丸収納レールに内装する少なくとも１以上の弾丸押上げ弾性体と、該弾丸収納レールに可動な状態で設け、該弾丸押上げ弾性体の一端に位置する弾丸押上げ部材とを含み、
該弾丸押上げ部材に、該連動手段に選択的に接触して連動させる少なくとも１以上の接触部を設け、該連動手段の一方の側には該接触部に選択的に接触する少なくとも１以上の連動部を形成し、
該弾丸収納レールに複数の弾丸を収納し、かつ該触発手段によって該弾丸を押し上げることを特徴とする請求項１に記載の弾倉の自動着脱構造。
【考案の詳細な説明】
【技術分野】
【０００１】
この考案は、トイガンに関し、特に弾倉がガン本体から自動的に外れる弾倉の自動脱着構造に関する
【背景技術】
【０００２】
従来のトイガンは、実銃に近いリアリティーを持たせるため、又は弾丸の補充速度を速めるために弾倉を取り付けることができるようにしてあり、従来の弾倉は、従来の脱着手段と併用して作動させる。従来の弾倉の脱着手段は、ガン本体に設けた可動の操作部材と、該操作部材側に設けた少なくとも１以上の弾性部材とを含み、従来の脱着手段によって選択的に従来の弾倉を固定する。従来の弾倉をガン本体に挿入する場合、操作部材を操作して位置をシフトさせ、弾性部材を連動させてばねエネルギーを蓄積する。次いで、弾性部材の蓄積したばねエネルギーを開放すると、付勢力で操作部材が元の位置に復帰し、かつ操作部材が従来の弾倉を固定する。また、弾倉を取り外す場合は操作部材を操作して位置をシフトさせ、弾性部材を連動させてばねエネルギーを蓄積するとともに、操作部材と従来の弾倉とを分離する。従来の弾倉がガン本体から離れてから操作部材を緩めると、弾性部材が操作部材を元の位置に復帰させる。
【０００３】
然しながら、従来の弾倉を交換する場合は、先ず操作部材を操作して、はじめて交換することができる。よって、弾倉の交換が遅くなる。しかも弾倉をガン本体にまで移動させなければならない。このため、弾倉を素早く交換する必要がある場合、又は弾倉をガン本体まで移動させて交換することを避けなければならない状況下（例えば射撃競技の場合など）では、使用に適さない。
【考案の概要】
【考案が解決しようとする課題】
【０００４】
この考案は、弾倉に装填した断言を撃ち尽くすと、弾倉がガン本体から自動的に外れる弾倉の自動脱着構造を提供することを課題とする。
【課題を解決するための手段】
【０００５】
上述する課題を解決するために、この考案の提供する弾倉の自動脱却構造は、少なくとも１以上のガン本体に挿着する弾倉本体と、可動な状態で該弾倉本体１上に設ける少なくとも１以上の触発手段と、可動な状態で該弾倉本体１上に設け、かつ該触発手段の一方の側に位置し、該触発手段に合わせて作動する少なくとも１以上の連動手段と、可動な状態で該弾倉本体上に設け、該ガン本体と併用して該弾倉本体を固定するとともに、該連動手段の一方位の側に位置して該連動手段に合わせて作動して該弾倉本体を自動的にガン本体から脱着させる開閉手段と、を含む。
【図面の簡単な説明】
【０００６】
【図１】この考案による弾倉の自動脱着構造の構造を示した説明図である。
【図２】この考案による弾倉の自動脱着構造の使用状態を示した説明図である。
【図３】この考案による弾倉の自動脱着構造の外観を示した斜視図である。
【図４】この考案による弾倉の自動脱着構造を挿着した状態を示した説明図である。
【図５】この考案による弾倉の自動脱着構造の動作を示した説明図である。
【図６】この考案による弾倉の自動脱着構造の脱着の動作を示した説明図である。
【図７】第２の実施の形態による弾倉の自動脱着構造を示した説明図である。
【考案を実施するための形態】
【実施例１】
【０００７】
図１から図４に開示するように、この考案は、弾倉本体１と、少なくとも１以上の触発手段２と、少なくとも１以上の連動手段３と、少なくとも１以上の開閉手段４とを含んでなる。弾倉本体１は、複数の弾丸７を収納する弾丸収納レール１１を少なくとも１以上内設し、かつ弾倉本体１を少なくとも１以上のガン本体６（図面が煩雑になることを避けるためにガン本体６の内部構造は表さない）に挿入する。ガン本体６には弾倉脱着手段６１を設ける。
【０００８】
触発手段２は可動な状態で弾倉本体１上に設け、弾丸７を押し上げるために供する。触発手段２は弾丸収納レール１１に内装する少なくとも１以上の弾丸押上げ弾性体２１と、弾丸収納レール１１に可動な状態で設け、かつ弾丸押上げ弾性体２１の一端に位置する弾丸押上げ部材２２とを含むとともに、弾丸押上げ部材２２には連動手段３に選択的に接触して連動させる接触部２２１を少なくとも１以上設ける。
【０００９】
連動手段３は可動な状態で弾倉本体１上に設け、かつ触発手段２の一方の側に位置し、触発手段２に合わせて作動する。連動手段３の一方の側には接触部２２１に選択的接触する少なくとも１以上の連動部３１を形成するとともに、連動手段３の一端には少なくとも１以上の係合部３２を形成する。
【００１０】
開閉手段４は、可動な状態で弾倉本体１上に設け、ガン本体６と併用して弾倉本体１を固定するために供し、かつ連動手段３の一方位の側に位置して連動手段３に合わせて作動して、弾倉本体１をガン本体６から自動的に脱着させる。開閉手段４は可動な状態で弾倉本体１上に設ける少なくとも１以上の係合手段４１と、係合手段４１の一方の側に連結して動力を発生させる少なくとも１以上の弾性部材４２とを含む。弾性部材４２の一端は連動手段３に抵触して連動手段３を連動させる。また係合手段４１の一方の側には、係合部３２に対応する少なくとも１以上の係止部４１１を形成する。係止部４１１は、選択的に係合部３２の選択的な係合を受ける。係合手段４１の一方の側には弾倉脱着手段６１に対応する少なくとも１以上の位置決め部４１２を形成し、弾倉脱着手段６１と位置決め部４１２とによって弾倉本体１を固定する。以上は、この考案の実施の形態の一つに過ぎず、実際の実施の形態は、上述に限らない。
【００１１】
図１から図６に開示するように、この考案は、使用時において弾倉本体１の弾丸収納レール１１に複数の弾丸７を収納し、触発手段２の弾丸押上げ部材２２の一をシフトさせて弾性体２１に弾性エネルギーを蓄積させる。また、開閉手段４の係合手段４１の係止部４１１の、連動手段３の係合部３２との係合を確定させる。この場合、係合手段４１と連動手段３とは弾性部材４２の弾性によって係合に必要とする力を確保する。次いで、弾倉本体１をガン本体６に挿入する。この場合、弾倉脱着手段６１と係合手段４１の位置決め部４１２とによって弾倉本体１を固定して、後続の射撃に供する。
【００１２】
図５、６に開示するように、射撃の過程において弾丸７は射撃の動作によって数量が減少する。弾丸押上げ弾性体２１は、エネルギーを開放して弾丸押上げ部材２２の位置を移動させ、弾丸７を押し上げて次の射撃に備える。弾丸７を撃ち尽くすと、弾丸押上げ部材２２の接触部２２１が連動手段３の連動部３１に接触して連動させ、このため係合部３２が連動して係止部４１１から離れ係合が解除される。また係合手段４１弾性部材４２の付勢力によって位置シフトの動作を行う。このため位置決め部４１２と弾倉脱着手段６１との固定が解除され、引力の影響でガン本体６から自動的に脱着する。よって、手動で弾倉脱着手段６１を操作して固定を解除する動作を省くことができ、弾倉本体１を交換する速度を速くすることができるとともに、弾倉本体１を交換する場合のガン本体６の移動量を減少させることができる。
【実施例２】
【００１３】
図７に、この考案の第２の実施の形態を開示する。図面の開示から明らかなように、第２の実施の形態は、上述する第１の実施の形態とほぼ同様であるが、ただし、第２の実施の形態においては弾倉本体１ａ内に可動な状態で少なくとも１以上の切換手段５ａを設けた点において第１の実施の形態と異なる。切換手段５ａは係合手段４１ａの一方の側に設け、選択的に係合手段４１ａを固定する。よって、使用者は切換手段５０ａによって選択的に係合手段４１ａを固定することができる。切換手段５ａが係合手段４１ａを固定していない場合、上述するとおり弾丸を撃ち尽くすと弾倉本体１ａが自動的にガン本体から脱着する、ただし、切換手段５ａが係合手段４１を固定していた場合、弾丸を撃ち尽くしても弾倉本体１ａは依然としてガン本体に固定される。よって、従来の弾倉と同様に、手動で弾倉弾着手段を操作することで、弾倉本体１ａをガン本体から脱着させることができる。よって、使用者は自在に切り換えることができる。
【符号の説明】
【００１４】
１、１ａ      弾倉本体
１１          弾丸収納レール
２            触発手段
２１          弾丸押上げ弾性体
２２          弾丸押上げ部材
２２１        接触部
３            連動手段
３１          連動部
３２          係合部
４            開閉手段
４１、４１ａ  係合手段
４１１        係止部
４１２        位置決め部
４２          弾性部材
５ａ          切換手段
６            ガン本体
６１          弾倉脱着手段
７            弾丸
【図１】
0003212719.tif 000003
【図２】
0003212719.tif 000004
【図３】
0003212719.tif 000005
【図４】
0003212719.tif 000006
【図５】
0003212719.tif 000007
【図６】
0003212719.tif 000008
【図７】
0003212719.tif 000009